(57)【特許請求の範囲】
【請求項１】
移動体通信システムの基地局によって非周期的なサウンディング参照信号を構成する方法であって、
Ｓ１．前記非周期的なサウンディング参照信号のパラメータの第１の部分の構成を示すために、第１の無線リソース制御レイヤ・シグナリングを伝送するステップと、
Ｓ２．前記非周期的なサウンディング参照信号の前記パラメータの第２の部分の構成の組み合わせを示すために、第２の無線リソース制御レイヤ・シグナリングを伝送するステップと、
Ｓ３．前記示された構成の組み合わせの１つの構成を示すために、ダウンリンク制御情報形式４で非周期的なサウンディング参照信号要求フィールドを伝送するステップと
を含み、
前記パラメータの前記第２の部分は、次のパラメータ・セット：循環シフト、アンテナ・ポートの数、キャリア・アグリゲーション、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームの多くとも３つを含み、前記パラメータの前記第１の部分は、サウンディング参照信号の構成インデックスおよび前記パラメータ・セットの残存部分を含む
方法。
【請求項２】
ステップＳ１、Ｓ２、およびＳ３は、コンポーネント・キャリアごとに個々に実行される請求項１に記載の方法。
【請求項３】
ステップＳ１、Ｓ２、およびＳ３は、複数のコンポーネント・キャリアに対して一般的に実行される請求項１に記載の方法。
【請求項４】
前記示された構成の組み合わせは、
組み合わせ１、ここで組み合わせ１に対応するパラメータの前記第２の部分は、循環シフトを含む、
組み合わせ２、ここで組み合わせ２に対応するパラメータの前記第２の部分は、循環シフトおよびアンテナ・ポートの数を含む、
組み合わせ３、ここで組み合わせ３に対応するパラメータの前記第２の部分は循環シフトおよびキャリア・アグリゲーションを含む、
組み合わせ４、ここで組み合わせ４に対応するパラメータの前記第２の部分は、アンテナ・ポートの数およびキャリア・アグリゲーションを含む、
組み合わせ５、ここで組み合わせ５に対応するパラメータの前記第２の部分は、循環シフトおよび伝送コームを含む、
組み合わせ６、ここで組み合わせ６に対応するパラメータの前記第２の部分は、循環シフトおよびホッピング・スイッチを含む、
組み合わせ７、ここで組み合わせ７に対応するパラメータの前記第２の部分は、アンテナ・ポートの数およびホッピング・スイッチを含む、
組み合わせ８、ここで組み合わせ８に対応するパラメータの前記第２の部分は、キャリア・アグリゲーションおよびホッピング・スイッチを含む、
組み合わせ９、ここで組み合わせ９に対応するパラメータの前記第２の部分は、循環シフトおよび帯域幅を含む
の１つである請求項１に記載の方法。
【請求項５】
前記示された構成の組み合わせは、組み合わせ１であり、組み合わせ１は、
状態１、ここで前記非周期的なサウンディング参照信号がトリガーされ、前記非周期的なサウンディング参照信号の前記循環シフトは、無線リソース制御レイヤによって構成された循環シフト・インジケータである、
状態２、ここで前記非周期的なサウンディング参照信号がトリガーされ、前記非周期的なサウンディング参照信号の前記循環シフトは、前記無線リソース制御レイヤによって構成された循環シフト・インジケータで、第１のシフト・オフセットによって補正される、
状態３、ここで前記非周期的なサウンディング参照信号がトリガーされ、前記非周期的なサウンディング参照信号の前記循環シフトは、前記無線リソース制御レイヤによって構成された循環シフト・インジケータであり、第２のシフト・オフセットによって補正される
という構成を含む請求項４に記載の方法。
【請求項６】
前記示された構成の組み合わせは、組み合わせ２であり、組み合わせ２は、
状態１、ここで前記非周期的なサウンディング参照信号は、１つだけのアンテナ・ポートからトリガーされ、前記非周期的なサウンディング参照信号の前記循環シフトは、無線リソース制御レイヤによって構成された循環シフト・インジケータである、
状態２、ここで前記非周期的なサウンディング参照信号は、１つだけのアンテナ・ポートからトリガーされ、前記非周期的なサウンディング参照信号の前記循環シフトは、前記無線リソース制御レイヤによって構成された循環シフト・インジケータであり、シフト・オフセットによって補正される、
状態３、ここで前記非周期的なサウンディング参照信号は、前記アンテナ・ポートのすべてまたは半分からトリガーされ、前記非周期的なサウンディング参照信号の前記循環シフトは、前記無線リソース制御レイヤによって構成された循環シフト・インジケータである、
または状態３’、ここで前記非周期的なサウンディング参照信号は、アンテナ・ポートのすべてもしくは半分からトリガーされ、前記非周期的なサウンディング参照信号の前記循環シフトは、前記無線リソース制御レイヤによって構成された循環シフト・インジケータであり、シフト・オフセットによって補正される
という構成を含む請求項４に記載の方法。
【請求項７】
前記示された構成の組み合わせは、組み合わせ３であり、組み合わせ３は、
状態１、ここで前記非周期的なサウンディング参照信号は、１つのアップリンク・コンポーネント・キャリアでトリガーされ、前記非周期的なサウンディング参照信号の前記循環シフトは、無線リソース制御レイヤによって構成された循環シフト・インジケータである、
状態２、ここで前記非周期的なサウンディング参照信号は、１つのアップリンク・コンポーネント・キャリアでトリガーされ、前記非周期的なサウンディング参照信号の前記循環シフトは、前記無線リソース制御レイヤによって構成された循環シフト・インジケータであり、シフト・オフセットによって補正される、
状態３、ここで前記非周期的なサウンディング参照信号は、すべてのアクティブ化されたアップリンク・コンポーネント・キャリアまたはそのサブセットでトリガーされ、前記非周期的なサウンディング参照信号の前記循環シフトは、前記無線リソース制御レイヤによって構成された循環シフト・インジケータである、
または状態３’、ここで前記非周期的なサウンディング参照信号は、すべてのアクティブ化されたアップリンク・コンポーネント・キャリアもしくはそのサブセットでトリガーされ、前記非周期的なサウンディング参照信号の前記循環シフトは、前記無線リソース制御レイヤによって構成された循環シフト・インジケータであり、シフト・オフセットによって補正される
という構成を含む請求項４に記載の方法。
【請求項８】
前記示された構成の組み合わせは、組み合わせ４であり、組み合わせ４は、
状態１、ここで前記非周期的なサウンディング参照信号は、１つだけのアンテナ・ポートから、および１つのアップリンク・コンポーネント・キャリアでトリガーされ、前記非周期的なサウンディング参照信号の前記循環シフトは、無線リソース制御レイヤによって構成された循環シフト・インジケータである、
状態２、ここで前記非周期的なサウンディング参照信号は、前記アンテナ・ポートのすべてまたは半分から、および１つのアップリンク・コンポーネント・キャリアでトリガーされ、前記非周期的なサウンディング参照信号の前記循環シフトは、前記無線リソース制御レイヤによって構成された循環シフト・インジケータである、
状態３、ここで前記非周期的なサウンディング参照信号は、１つのアンテナ・ポートから、およびすべてのアップリンク・コンポーネント・キャリアまたはそのサブセットでトリガーされ、前記非周期的なサウンディング参照信号の前記循環シフトは、前記無線リソース制御レイヤによって構成された循環シフト・インジケータである、
または状態３’、ここで前記非周期的なサウンディング参照信号は、前記アンテナ・ポートのすべてもしくは半分から、およびすべてのアップリンク・コンポーネント・キャリア、もしくはそのサブセットでトリガーされ、前記非周期的なサウンディング参照信号の前記循環シフトは、前記無線リソース制御レイヤによって構成された循環シフト・インジケータである、
という構成を含む請求項４に記載の方法。
【請求項９】
前記示された構成の組み合わせは、組み合わせ５であり、組み合わせ５は、
状態１、ここで前記非周期的なサウンディング参照信号がトリガーされ、前記非周期的なサウンディング参照信号の前記循環シフトは、無線リソース制御レイヤによって構成された循環シフト・インジケータであり、前記非周期的なサウンディング参照信号の伝送コームは、前記無線リソース制御レイヤによって構成された伝送コームである、
状態２、ここで前記非周期的なサウンディング参照信号がトリガーされ、前記非周期的なサウンディング参照信号の前記循環シフトは、前記無線リソース制御レイヤによって構成された循環シフト・インジケータであり、循環シフト・オフセットによって補正され、前記非周期的なサウンディング参照信号の前記伝送コームは、前記無線リソース制御レイヤによって構成された伝送コームである、
状態３、ここで前記非周期的なサウンディング参照信号がトリガーされ、前記非周期的なサウンディング参照信号の前記循環シフトは、前記無線リソース制御レイヤによって構成された循環シフト・インジケータであり、前記非周期的なサウンディング参照信号の前記伝送コームは、前記無線リソース制御レイヤによって構成されたものとは異なる伝送コームである、
または状態３’、ここで前記非周期的なサウンディング参照信号がトリガーされ、前記非周期的なサウンディング参照信号の前記循環シフトは、前記無線リソース制御レイヤによって構成された循環シフト・インジケータであり、循環シフト・オフセットによって補正され、前記非周期的なサウンディング参照信号の前記伝送コームは、前記無線リソース制御レイヤによって構成されたものとは異なる伝送コームである
という構成を含む請求項４に記載の方法。
【請求項１０】
前記示された構成の組み合わせは、組み合わせ６であり、組み合わせ６は、
状態１、ここで前記非周期的なサウンディング参照信号がトリガーされ、前記非周期的なサウンディング参照信号の前記循環シフトは、無線リソース制御レイヤによって構成された循環シフト・インジケータであり、ホッピングは、非周期的なサウンディング参照信号に対して採用されない、
状態２、ここで前記非周期的なサウンディング参照信号がトリガーされ、前記非周期的なサウンディング参照信号の前記循環シフトは、前記無線リソース制御レイヤによって構成された循環シフト・インジケータであり、循環シフト・オフセットによって補正され、ホッピングは、前記非周期的なサウンディング参照信号に対して採用されない、
状態３、ここで前記非周期的なサウンディング参照信号がトリガーされ、前記非周期的なサウンディング参照信号の前記循環シフトは、前記無線リソース制御レイヤによって構成された循環シフト・インジケータであり、ホッピングは、前記非周期的なサウンディング参照信号に対して採用される、
または状態３’、ここで前記非周期的なサウンディング参照信号がトリガーされ、前記非周期的なサウンディング参照信号の前記循環シフトは、前記無線リソース制御レイヤによって構成された循環シフト・インジケータであり、循環シフト・オフセットによって補正され、ホッピングは、前記非周期的なサウンディング参照信号に対して採用される
という構成を含む請求項４に記載の方法。
【請求項１１】
前記示された構成の組み合わせは、組み合わせ７であり、組み合わせ７は、
状態１、ここで前記非周期的なサウンディング参照信号がトリガーされ、前記非周期的なサウンディング参照信号のアンテナ・ポートの数は、無線リソース制御レイヤによって構成されたアンテナ・ポートの数であり、ホッピングは、前記非周期的なサウンディング参照信号に対して採用されない、
状態２、ここで前記非周期的なサウンディング参照信号がトリガーされ、前記非周期的なサウンディング参照信号のアンテナ・ポートの数は、前記無線リソース制御レイヤによって構成されたアンテナ・ポートの数であり、ホッピングは、前記非周期的なサウンディング参照信号に対して採用されない、
状態３、ここで前記非周期的なサウンディング参照信号がトリガーされ、前記非周期的なサウンディング参照信号のアンテナ・ポートの数は、前記無線リソース制御レイヤによって構成されたアンテナ・ポートの数であり、ホッピングは、前記非周期的なサウンディング参照信号に対して採用される、
または状態３’、ここで前記非周期的なサウンディング参照信号がトリガーされ、前記非周期的なサウンディング参照信号のアンテナ・ポートの数は、前記無線リソース制御レイヤによって構成されたアンテナ・ポートの数であり、ホッピングは、前記非周期的なサウンディング参照信号に対して採用される
という構成を含む請求項４に記載の方法。
【請求項１２】
前記示された構成の組み合わせは、組み合わせ８であり、組み合わせ８は、
状態１、ここで前記非周期的なサウンディング参照信号がトリガーされ、前記非周期的なサウンディング参照信号の前記キャリア・アグリゲーションは、無線リソース制御レイヤによって構成されたキャリア・アグリゲーションであり、ホッピングは、前記非周期的なサウンディング参照信号に対して採用されない、
状態２、ここで前記非周期的なサウンディング参照信号がトリガーされ、前記非周期的なサウンディング参照信号の前記キャリア・アグリゲーションは、前記無線リソース制御レイヤによって構成されたキャリア・アグリゲーションであり、ホッピングは、前記非周期的なサウンディング参照信号に対して採用されない、
状態３、ここで前記非周期的なサウンディング参照信号がトリガーされ、前記非周期的なサウンディング参照信号の前記キャリア・アグリゲーションは、前記無線リソース制御レイヤによって構成されたキャリア・アグリゲーションであり、ホッピングは、前記非周期的なサウンディング参照信号に対して採用される、
または状態３’、ここで前記非周期的なサウンディング参照信号がトリガーされ、前記非周期的なサウンディング参照信号の前記キャリア・アグリゲーションは、前記無線リソース制御レイヤによって構成されたキャリア・アグリゲーションであり、ホッピングは、前記非周期的なサウンディング参照信号に対して採用される、
という構成を含む請求項４に記載の方法。
【請求項１３】
前記示された構成の組み合わせは、組み合わせ９であり、組み合わせ９は、
状態１、ここで前記非周期的なサウンディング参照信号がトリガーされ、前記非周期的なサウンディング参照信号の前記循環シフトは、無線リソース制御レイヤによって構成された循環シフト・インジケータであり、前記非周期的なサウンディング参照信号は、広帯域参照信号である、
状態２、ここで前記非周期的なサウンディング参照信号がトリガーされ、前記非周期的なサウンディング参照信号の前記循環シフトは、前記無線リソース制御レイヤによって構成された循環シフト・インジケータであり、前記非周期的なサウンディング参照信号は、狭帯域参照信号である、
状態３、ここで前記非周期的なサウンディング参照信号がトリガーされ、前記非周期的なサウンディング参照信号の前記循環シフトは、前記無線リソース制御レイヤによって構成された循環シフト・インジケータであり、前記非周期的なサウンディング参照信号は、広帯域参照信号である、
または状態３’、ここで前記非周期的なサウンディング参照信号がトリガーされ、前記非周期的なサウンディング参照信号の前記循環シフトは、前記無線リソース制御レイヤによって構成された循環シフト・インジケータであり、循環シフト・オフセットによって補正され、前記非周期的なサウンディング参照信号は、狭帯域参照信号である
という構成を含む請求項４に記載の方法。
【発明の詳細な説明】
【技術分野】
【０００１】
本発明は、移動体通信技術に関し、より詳細には、移動体通信システムの基地局で非周期的なサウンディング参照信号を構成する方法に関する。
【背景技術】
【０００２】
ＬＴＥシステムは、横方向に３つのレイヤに分割することができる：物理レイヤ、データ・リンク・レイヤ、およびネットワーク上位レイヤである。物理レイヤは、データ通信サービスをその上位レイヤに提供する。データ・リンク・レイヤは、ＭＡＣサブレイヤ、ＲＬＣサブレイヤ、および２つのサービス依存のサブレイヤ（ＰＤＣＰプロトコル・レイヤおよびＢＭＣプロトコル・レイヤ）に分割することができる。ネットワーク上位レイヤは、無線リソース制御（ＲＲＣ）レイヤである。
【０００３】
現在のＬＴＥ規格（ＲＡＮＩ＃６３）では、ダウンリンク制御情報（ＤＣＩ）形式４の非周期的なサウンディング参照信号（ＳＲＳ）で以下の合意が得られている：
−サウンディング参照信号のトリガリングおよびパラメータ構成のために２ビットが追加される。２ビットは、次の４つの状態を示すことができる：１つは非周期的なサウンディング参照信号のアクティベーションがないことを示し、他の３つは、３組のＲＲＣ構成された非周期的なサウンディング参照信号の伝送パラメータを示すために使用される。また、３組のそれぞれは、以下のサウンディング参照信号パラメータの組み合わせを示すことができる：サウンディング参照信号の帯域幅（ｓｒｓＢａｎｄｗｉｄｔｈ）、周波数領域の位置、サウンディング参照信号のホッピング帯域幅（ｓｒｓホッピング帯域幅）、伝送コーム（ｔｒａｎｓｍｉｓｓｉｏｎ  ｃｏｍｂ）、循環シフト、期間、およびアンテナ・ポートの数である。さらに、ホッピングがサポートされる場合、サウンディング参照信号のホッピング帯域幅のパラメータは有効であり、マルチショットＳＲＳがサポートされる場合、期間のパラメータは有効である。他のＳＲＳパラメータは、無線リソース制御レイヤによって直接的に構成される。
−サウンディング参照信号の構成インデックス（ｓｒｓＣｏｎｆｉｇｕｒａｉｔｏｎＩｎｄｅｘ）のパラメータは、無線リソース制御レイヤによって直接的に伝えられ、非周期的なサウンディング参照信号の伝送パラメータのすべての組について共通している。
−コンポーネント・キャリア（ＣＣ）の数およびインデックスがダウンリンク制御情報形式４によって示されるべきかどうかは調査中である。
−２ビットの非周期的なサウンディング参照信号のトリガリング情報は、ダウンリンク制御情報形式４に常にある。
【０００４】
従来技術では、一部のサウンディング参照信号のパラメータの組み合わせは、ダウンリンク制御情報形式４の３つの状態を介して動的な構成のためにあらかじめ規定される。状態の数が制限されているため、組み合わせ内のパラメータの数および各パラメータの調整可能な範囲の両方は制限されており、したがって、サウンディング参照信号のパラメータの動的な構成の柔軟性が限定される。
【発明の概要】
【課題を解決するための手段】
【０００５】
前述の問題を解決するために、本発明は、非周期的なサウンディング参照信号のパラメータを２つの部分へと分類する、非周期的なサウンディング参照信号のパラメータを構成する柔軟なメカニズムを提供する。パラメータの第１の部分は、無線リソース制御シグナリングによって構成することができ、第２の部分は、ダウンリンク制御情報形式４の指示を介して動的に構成することができる。
【０００６】
本発明の一実施形態では、移動体通信システムの基地局によって非周期的なサウンディング参照信号を構成する方法が提供される。方法は、次を含む：Ｓ１．非周期的なサウンディング参照信号のパラメータの第１の部分の構成を示すために、第１の無線リソース制御レイヤ・シグナリングを伝送するステップと、Ｓ２．非周期的なサウンディング参照信号のパラメータの第２の部分の構成の組み合わせを示すために、第２の無線リソース制御レイヤ・シグナリングを伝送するステップと、Ｓ３．示された構成の組み合わせで１つの構成を示すために、ダウンリンク制御情報形式４で非周期的なサウンディング参照信号要求フィールドを伝送するステップとである。パラメータの第２の部分は、次のパラメータ・セット：循環シフト、アンテナ・ポートの数、キャリア・アグリゲーション、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームの多くとも３つを含む。また、パラメータの第１の部分は、サウンディング参照信号の構成インデックスおよびパラメータ・セットの残存部分を含む。
【０００７】
本発明の方法を使うと、非周期的なサウンディング参照信号のパラメータの第２の部分は、様々な用途のシナリオに適合するように柔軟に構成することができる。
【０００８】
本発明の他の機能、目的、および利点は、添付した図面に関して限定を目的としない実施形態に関する以下の詳細な説明を読むことによって、より明白になるだろう。
【図面の簡単な説明】
【０００９】
【図１】本発明の一実施形態により、移動体通信システムの基地局によって非周期的なサウンディング参照信号を構成する方法を説明する流れ図である。
【発明を実施するための形態】
【００１０】
同一または同様の参照符号は、すべての図面において対応する機能を表している。
【００１１】
当業者は、基地局は、異なるプロトコル標準では異なる具体的な名称を持っている可能性があることを理解されるだろう。たとえば、ＬＴＥまたはＬＴＥ−Ａシステムでは、基地局は、また、ノードＢまたは進化型ノードＢ（ｅＮＢ：ｅｖｏｌｖｅｄ  ｎｏｄｅ  Ｂ）と呼ばれる。結果的に、本開示で言及した基地局は、たとえば、ＬＴＥ−ＡシステムのｅＮＢであるが、これに限定されない。
【００１２】
図１は、本発明の一実施形態による移動体通信システムの基地局によって非周期的なサウンディング参照信号を構成する方法を説明する流れ図である。図示するように、方法は、Ｓ１、Ｓ１、およびＳ３のステップを含む。方法は、その制御の下でＵＥの非周期的なサウンディング参照信号を構成するために任意のｅＮＢに用いることができる。
【００１３】
ステップＳ１で、ｅＮＢは、非周期的なサウンディング参照信号のパラメータの第１の部分の構成を示すために、第１の無線リソース制御レイヤのシグナリングを伝送する。
【００１４】
ステップＳ２で、ｅＮＢは、非周期的なサウンディング参照信号のパラメータの第２の部分の構成の組み合わせを示すために、第２の無線リソース制御レイヤのシグナリングを伝送する。
【００１５】
ステップＳ３で、示された構成の組み合わせの１つの構成を示すために、ｅＮＢはダウンリンク制御情報形式４において非周期的なサウンディング参照信号の要求フィールドを伝送する。
【００１６】
パラメータの第２の部分は、次のパラメータ・セット：循環シフト、アンテナ・ポートの数、キャリア・アグリゲーション、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームの多くとも３つを含み、パラメータの第１の部分は、サウンディング参照信号の構成インデックスおよびパラメータ・セットの残存部分を含む。
【００１７】
非周期的なサウンディング参照信号のパラメータの第１の部分の構成、およびパラメータの第２の部分の構成の組み合わせは、比較的固定されており、Ｓ１およびＳ２は、１０ミリ秒など長い時間間隔ごとに同時に実行することができる。第１および第２の無線リソース制御シグナリングは、同一のシグナリングでもよい。非周期的なサウンディング参照信号のパラメータの第２の部分の構成の組み合わせの変動を通じて、様々な用途のシナリオに対する柔軟な適合を達成することができる。各構成の組み合わせは、１つまたは複数の構成を含む。
【００１８】
第２の無線リソース制御シグナリングによって示された構成の組み合わせに基づいて、非周期的なサウンディング参照信号のパラメータの第２の部分の特定の構成は、ダウンリンク制御情報形式４の非周期的なサウンディング参照信号要求フィールドを伝送することによって、ステップＳ３でｅＮＢによって示される。すでに合意したように、ダウンリンク制御情報形式４の非周期的なサウンディング参照信号要求フィールドの長さは２ビットである。これは、非周期的なサウンディング参照信号が利用されないケースだけでなく３つの異なる構成も示している。それに対応して、各構成の組み合わせは、３つの異なる構成を含むことができる。ステップＳ３は、動的にまたはより頻繁に実行することができる。たとえば、ステップＳ３は、すべての伝送時間（ＴＴＩ）内に実行することができる。非周期的なサウンディング参照信号のパラメータの第２の部分の各構成の組み合わせに関係するパラメータの数は、多くとも３つであるため、従来技術と比較して、非周期的なサウンディング参照信号のより正確な構成を実現することができる。
【００１９】
本発明の一実施形態では、上記の方法のステップＳ１、Ｓ２、およびＳ３は、コンポーネント・キャリアごとに個々に実行される。
【００２０】
本発明の他の実施形態では、上記の方法のステップＳ１、Ｓ２、およびＳ３は、２つのコンポーネント・キャリア、３つのコンポーネント・キャリア、または５つのコンポーネント・キャリアのすべてなど、複数のコンポーネント・キャリアに対して一般的に実行される。
【００２１】
本発明の一実施形態では、上記の方法において非周期的なサウンディング参照信号のパラメータの第２の部分の示された構成の組み合わせは、組み合わせ１、組み合わせ２、組み合わせ３、組み合わせ４、組み合わせ５、組み合わせ６、組み合わせ７、組み合わせ８、および組み合わせ９の１つである。
【００２２】
組み合わせ１に対応するパラメータの第２の部分は、循環シフトを含む。また、組み合わせ１は、単一アンテナおよび単一コンポーネント・キャリアのシナリオ、または循環シフトが優先されるシナリオに対応する。それに対応して、パラメータの第１の部分は、次を含む：サウンディング参照信号の構成インデックス、アンテナ・ポートの数、キャリア・アグリゲーション、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームである。組み合わせ１は、以下の３つの構成を含む：
状態１、非周期的なサウンディング参照信号がトリガーされ、非周期的なサウンディング参照信号の循環シフトは、無線リソース制御レイヤによって構成された循環シフト・インジケータである。
状態２、非周期的なサウンディング参照信号がトリガーされ、非周期的なサウンディング参照信号の循環シフトは、無線リソース制御レイヤによって構成された循環シフト・インジケータで、第１のシフト・オフセットによって補正される。
状態３、非周期的なサウンディング参照信号がトリガーされ、非周期的なサウンディング参照信号の循環シフトは、無線リソース制御レイヤによって構成された循環シフト・インジケータであり、第２のシフト・オフセットによって補正される。
【００２３】
第１および第２のシフト・オフセットの特定の値は、あらかじめ規定することも、または無線リソース制御レイヤによって構成することもできる。さらに、それは、コンポーネント・キャリアごとに個々に構成することも、または複数のコンポーネント・キャリアに対して一般的に構成することもできる。
【００２４】
組み合わせ１において、ＵＥは、無線リソース制御シグナリングを介して、非周期的なサウンディング参照信号が、１つのアンテナ・ポート、アンテナ・ポートのすべて、またはアンテナ・ポートの半分から伝送されるか、および１つのアップリンク・コンポーネント・キャリア、すべてのアップリンク・コンポーネント・キャリア、またはそのサブセットで伝送されるかについて通知を受け、これらはすべての状態に対して共通である。
【００２５】
組み合わせ２に対応するパラメータの第２の部分は、循環シフトおよびアンテナ・ポートの数を含む。組み合わせ２は、単一のコンポーネント・キャリアもしくは複数のアンテナのシナリオ、または循環シフトおよびアンテナ・ポートの数が優先されるシナリオに対応する。それに対応して、パラメータの第１の部分は、次を含む：サウンディング参照信号の構成インデックス、キャリア・アグリゲーション、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームである。組み合わせ２は、以下の３つの構成を含む：
状態１、非周期的なサウンディング参照信号はたった１つのアンテナ・ポートからトリガーされ、非周期的なサウンディング参照信号の循環シフトが、無線リソース制御レイヤによって構成された循環シフト・インジケータである。
状態２、非周期的なサウンディング参照信号は、１つだけのアンテナ・ポートからトリガーされ、非周期的なサウンディング参照信号の循環シフトは、無線リソース制御レイヤによって構成された循環シフト・インジケータであり、シフト・オフセットによって補正される。
状態３、非周期的なサウンディング参照信号は、アンテナ・ポートのすべてまたは半分からトリガーされ、非周期的なサウンディング参照信号の循環シフトは、無線リソース制御レイヤによって構成された循環シフト・インジケータである。
または状態３’、非周期的なサウンディング参照信号は、アンテナ・ポートのすべてまたは半分からトリガーされ、非周期的なサウンディング参照信号の循環シフトは、無線リソース制御レイヤによって構成された循環シフト・インジケータであり、シフト・オフセットによって補正される。
【００２６】
無線リソース制御によって構成された循環シフト・インジケータ（ＣＳＩ）は、アンテナ・ポート０に対応し、他のアンテナ・ポートのＣＳＩは、非周期的なサウンディング参照信号のアクティブなアンテナ・ポートの数から得ることができる。
【００２７】
シフト・オフセットの特定の値は、あらかじめ規定することも、または無線リソース制御レイヤによって構成することもできる。さらに、それは、コンポーネント・キャリアごとに個々に構成することも、または複数のコンポーネント・キャリアに対して一般的に構成することもできる。
【００２８】
状態３は、２つの代替的な状況を含み、状態３’も同じである。これが意味するのは、組み合わせ２には４つの代替実装があることである。組み合わせ２において、ＵＥは、無線リソース制御シグナリングを介して、非周期的なサウンディング参照信号が、１つのアップリンク・コンポーネント・キャリア、すべてのアップリンク・コンポーネント・キャリア、またはそのサブセットで伝送されるかどうかについて通知を受け、それはすべての状態に対して共通である。ＣＳＴおよび循環シフト・オフセットは、無線リソース制御シグナリングを介して、より高い柔軟性を達成するためにコンポーネント・キャリアごとに個々に、または無線リソース制御シグナリング・オーバヘッドを保存するためにすべてのコンポーネント・キャリアもしくはそのサブセットに対して一般的に構成することができる。
【００２９】
組み合わせ３に対応するパラメータの第２の部分は、循環シフトおよびキャリア・アグリゲーションを含む。また、組み合わせ３は、単一アンテナのシナリオ、または循環シフトおよびキャリア・アグリゲーションが優先されるシナリオに対応する。それに対応して、パラメータの第１の部分は、次を含む：サウンディング参照信号の構成インデックス、アンテナ・ポートの数、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームである。組み合わせ３は、以下の３つの構成を含む：
状態１、非周期的なサウンディング参照信号は、１つのアップリンク・コンポーネント・キャリアでトリガーされ、非周期的なサウンディング参照信号の循環シフトは、無線リソース制御レイヤによって構成された循環シフト・インジケータである。
状態２、非周期的なサウンディング参照信号は、１つのアップリンク・コンポーネント・キャリアでトリガーされ、非周期的なサウンディング参照信号の循環シフトは、無線リソース制御レイヤによって構成された循環シフト・インジケータであり、シフト・オフセットによって補正される。８つの循環シフトの４つおよび２つの分離が無線リソース・シグナリングを介して４つのアンテナ・ポートに対して構成されている場合、４つのアンテナ・ポートについて、循環シフト・オフセットは１に設定され、８つの循環シフトの２つおよび４つの分離が無線リソース・シグナリングを介して２つのアンテナ・ポートに対して構成されている場合、循環シフト・オフセットは、最大の分離を達成するために２つのアンテナ・ポートに対して２に設定される。
状態３、非周期的なサウンディング参照信号は、すべてのアクティブ化されたアップリンク・コンポーネント・キャリア、またはそのサブセットでトリガーされ、非周期的なサウンディング参照信号の循環シフトは、無線リソース制御レイヤによって構成された循環シフト・インジケータである。
または状態３’、非周期的なサウンディング参照信号は、すべてのアクティブ化されたアップリンク・コンポーネント・キャリアまたはそのサブセットでトリガーされ、非周期的なサウンディング参照信号の循環シフトは、無線リソース制御レイヤによって構成された循環シフト・インジケータであり、シフト・オフセットによって補正される。
【００３０】
シフト・オフセットの特定の値は、あらかじめ規定することも、または無線リソース制御レイヤによって構成することもできる。さらに、それは、コンポーネント・キャリアごとに個々に構成することも、または複数のコンポーネント・キャリアに対して一般的に構成することもできる。
【００３１】
状態３は、２つの代替状況を含み、状態３’も同じである。これが意味するのは、組み合わせ３には４つの代替実装があることである。組み合わせ３において、ＵＥは、無線リソース制御シグナリングを介して、非周期的なサウンディング参照信号は、１つのアンテナ・ポート、アンテナ・ポートのすべて、またはアンテナ・ポートの半分から伝送されるか通知され、循環シフト・オフセットは、より高い柔軟性を達成するためにコンポーネント・キャリアごとに無線リソース・シグナリングを介して個々に構成されるか、または未使用のコード・ポイントによって暗黙的に示すことができる。
【００３２】
組み合わせ４に対応するパラメータの第２の部分は、アンテナ・ポートの数およびキャリア・アグリゲーションを含む。組み合わせ４は、複数のアンテナもしくはキャリア・アグリゲーションのシナリオ、またはアンテナ・ポートの数およびキャリア・アグリゲーションが優先されるシナリオに対応する。それに対応して、パラメータの第１の部分は、次を含む：サウンディング参照信号の構成インデックス、循環シフト、サウンディング参照信号の帯域幅、周波数領域の位置、サウンディング参照信号のホッピング・スイッチ、サウンディング参照信号のホッピング帯域幅、マルチショット・サウンディング参照信号の期間、および伝送コームである。組み合わせ４は、以下の３つの構成を含む：
状態１、非周期的なサウンディング参照信号は、１つだけのアンテナ・ポートから、および１つのアップリンク・コンポーネント・キャリアでトリガーされ、非周期的なサウンディング参照信号の循環シフトは、無線リソース制御レイヤによって構成された循環シフト・インジケータである。
状態２、非周期的なサウンディング参照信号は、アンテナ・ポートのすべてまたは半分から、および１つのアップリンク・コンポーネント・キャリアでトリガーされ、非周期的なサウンディング参照信号の循環シフトは、無線リソース制御レイヤによって構成された循環シフト・インジケータである。
状態３、非周期的なサウンディング参照信号は、１つのアンテナ・ポートから、およびすべてのアップリンク・コンポーネント・キャリアまたはそのサブセットでトリガーされ、非周期的なサウンディング参照信号の循環シフトは、無線リソース制御レイヤによって構成された循環シフト・インジケータである。
または状態３’、非周期的なサウンディング参照信号は、アンテナ・ポートのすべてまたは半分から、およびすべてのアップリンク・コンポーネント・キャリア、またはそのサブセットでトリガーされ、非周期的なサウンディング参照信号の循環シフトは、無線リソース制御レイヤによって構成された循環シフト・インジケータである。
【００３３】
状態２は２つの代替状況を含み、状態３は３つを含み、状態３’は４つを含む。これが意味するのは、組み合わせ４には１４つの代替実装があることである。組み合わせ４において、ＣＳＩはアンテナ・ポート０に対応し、コンポーネント・キャリアごとに個々に構成することも、またはすべてのコンポーネント・キャリアに対して一般的に構成することもできる。
【００３４】
組み合わせ５に対応するパラメータの第２の部分は、循環シフトおよび伝送コームを含む。組み合わせ５は、循環シフトおよび伝送コームが優先されるシナリオに対応する。それに対応して、パラメータの第１の部分は、次を含む：サウンディング参照信号の構成インデックス、アンテナ・ポートの数、キャリア・アグリゲーション、サウンディング参照信号の帯域幅、周波数領域の位置、サウンディング参照信号のホッピング・スイッチ、サウンディング参照信号のホッピング帯域幅、およびマルチショット・サウンディング参照信号の期間である。また、組み合わせ５は、以下の構成を含む：
状態１、非周期的なサウンディング参照信号がトリガーされ、非周期的なサウンディング参照信号の循環シフトは、無線リソース制御レイヤによって構成された循環シフト・インジケータであり、非周期的なサウンディング参照信号の伝送コームは、無線リソース制御レイヤによって構成された伝送コームである。
状態２、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、非周期的なサウンディング参照信号の伝送コームは、無線リソース制御レイヤによって構成された伝送コームである。
状態３、非周期的なサウンディング参照信号がトリガーされ、非周期的なサウンディング参照信号の循環シフトは、無線リソース制御レイヤによって構成された循環シフト・インジケータであり、非周期的なサウンディング参照信号の伝送コームは、無線リソース制御レイヤによって構成されたものとは異なる伝送コームである。
または状態３’、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、非周期的なサウンディング参照信号の伝送コームは、無線リソース制御レイヤによって構成されたものとは異なる伝送コームである。
【００３５】
状態３および状態３’が意味するのは、組み合わせ５には２つの代替実装があるということである。
【００３６】
組み合わせ６に対応するパラメータの第２の部分は、循環シフトおよびホッピング・スイッチを含む。組み合わせ６は、循環シフトおよびホッピングが優先されるシナリオに対応する。それに対応して、パラメータの第１の部分は、次を含む：サウンディング参照信号の構成インデックス、アンテナ・ポートの数、キャリア・アグリゲーション、サウンディング参照信号の帯域幅、周波数領域の位置、サウンディング参照信号のホッピング帯域幅、マルチショット・サウンディング参照信号の期間、および伝送コームである。また、組み合わせ６は、以下の構成を含む：
状態１、非周期的なサウンディング参照信号がトリガーされ、非周期的なサウンディング参照信号の循環シフトは、無線リソース制御レイヤによって構成された循環シフト・インジケータであり、ホッピングは、非周期的なサウンディング参照信号に対して採用されない。
状態２、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、ホッピングは、非周期的なサウンディング参照信号に対して採用されない。
状態３、非周期的なサウンディング参照信号がトリガーされ、非周期的なサウンディング参照信号の循環シフトは、無線リソース制御レイヤによって構成された循環シフト・インジケータであり、ホッピングは、非周期的なサウンディング参照信号に対して採用される。
または状態３’、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、ホッピングは、非周期的なサウンディング参照信号に対して採用される。
【００３７】
状態３および状態３’が意味するのは、組み合わせ６には２つの代替実装があるということである。
【００３８】
組み合わせ７に対応するパラメータの第２の部分は、アンテナ・ポートの数およびホッピング・スイッチを含む。組み合わせ７は、アンテナ・ポートの数およびホッピングが優先されるシナリオに対応する。それに対応して、パラメータの第１の部分は、次を含む：サウンディング参照信号の構成インデックス、循環シフト、キャリア・アグリゲーション、サウンディング参照信号の帯域幅、周波数領域の位置、サウンディング参照信号のホッピング帯域幅、マルチショット・サウンディング参照信号の期間、および伝送コームである。また、組み合わせ７は、以下の構成を含む：
状態１、非周期的なサウンディング参照信号がトリガーされ、非周期的なサウンディング参照信号のアンテナ・ポートの数は、無線リソース制御レイヤによって構成されたアンテナ・ポートの数であり、ホッピングは、非周期的なサウンディング参照信号に対して採用されない。
状態２、非周期的なサウンディング参照信号がトリガーされ、非周期的なサウンディング参照信号のアンテナ・ポートの数は、無線リソース制御レイヤによって構成されたアンテナ・ポートの数であり、ホッピングは、非周期的なサウンディング参照信号に対して採用されない。
状態３、非周期的なサウンディング参照信号がトリガーされ、非周期的なサウンディング参照信号のアンテナ・ポートの数は、無線リソース制御レイヤによって構成されたアンテナ・ポートの数であり、ホッピングは、非周期的なサウンディング参照信号に対して採用される。
または状態３’、非周期的なサウンディング参照信号がトリガーされ、非周期的なサウンディング参照信号のアンテナ・ポートの数は、無線リソース制御レイヤによって構成されたアンテナ・ポートの数であり、ホッピングは、非周期的なサウンディング参照信号に対して採用される。
【００３９】
状態３および状態３’が意味するのは、組み合わせ７には２つの代替実装があるということである。
【００４０】
組み合わせ８に対応するパラメータの第２の部分は、キャリア・アグリゲーションおよびホッピング・スイッチを含む。組み合わせ８は、キャリア・アグリゲーションおよびホッピングが優先されるシナリオに対応する。それに対応して、パラメータの第１の部分は、次を含む：サウンディング参照信号の構成インデックス、循環シフト、アンテナ・ポートの数、サウンディング参照信号の帯域幅、周波数領域の位置、サウンディング参照信号のホッピング帯域幅、マルチショット・サウンディング参照信号の期間、および伝送コームである。また、組み合わせ８は、以下の構成を含む：
状態１、非周期的なサウンディング参照信号がトリガーされ、非周期的なサウンディング参照信号のキャリア・アグリゲーションは、無線リソース制御レイヤによって構成されたキャリア・アグリゲーションであり、ホッピングは、非周期的なサウンディング参照信号に対して採用されない。
状態２、非周期的なサウンディング参照信号がトリガーされ、非周期的なサウンディング参照信号のキャリア・アグリゲーションは、無線リソース制御レイヤによって構成されたキャリア・アグリゲーションであり、ホッピングは、非周期的なサウンディング参照信号に対して採用されない。
状態３、非周期的なサウンディング参照信号がトリガーされ、非周期的なサウンディング参照信号のキャリア・アグリゲーションは、無線リソース制御レイヤによって構成されたキャリア・アグリゲーションであり、ホッピングは、非周期的なサウンディング参照信号に対して採用される。
または状態３’、非周期的なサウンディング参照信号がトリガーされ、非周期的なサウンディング参照信号のキャリア・アグリゲーションは、無線リソース制御レイヤによって構成されたキャリア・アグリゲーションであり、ホッピングは、非周期的なサウンディング参照信号に対して採用される。
【００４１】
状態３および状態３’が意味するのは、組み合わせ８には２つの代替実装があるということである。
【００４２】
組み合わせ９に対応するパラメータの第２の部分は、循環シフトおよびサウンディング参照信号の帯域幅を含む。組み合わせ９は、循環シフトおよび帯域幅が優先されるシナリオに対応する。それに対応して、パラメータの第１の部分は、次を含む：サウンディング参照信号の構成インデックス、アンテナ・ポートの数、キャリア・アグリゲーション、周波数領域の位置、サウンディング参照信号のホッピング・スイッチ、サウンディング参照信号のホッピング帯域幅、マルチショット・サウンディング参照信号の期間、および伝送コームである。また、組み合わせ９は、以下の構成を含む：
状態１、非周期的なサウンディング参照信号がトリガーされ、非周期的なサウンディング参照信号の循環シフトは、無線リソース制御レイヤによって構成された循環シフト・インジケータであり、非周期的なサウンディング参照信号は、広帯域参照信号である。
状態２、非周期的なサウンディング参照信号がトリガーされ、非周期的なサウンディング参照信号の循環シフトは、無線リソース制御レイヤによって構成された循環シフト・インジケータであり、非周期的なサウンディング参照信号は、狭帯域参照信号である。
状態３、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、非周期的なサウンディング参照信号は、広帯域参照信号である。
または状態３’、非周期的なサウンディング参照信号がトリガーされ、非周期的なサウンディング参照信号の循環シフトは、無線リソース制御レイヤによって構成された循環シフト・インジケータであり、循環シフト・オフセットによって補正され、非周期的なサウンディング参照信号は、狭帯域参照信号である。
【００４３】
状態３および状態３’が意味するのは、組み合わせ９には２つの代替実装があるということである。
【００４４】
当業者は、上記の実施形態が限定ではなく例示のためのものであることを理解されるだろう。また、望ましい効果を達成するために、異なる実施形態で異なる技術的特徴を組み合わせることができる。開示された実施形態以外の変更された実施形態については、当業者は、添付の図面、明細書、および添付された請求項を考慮して、理解および実装することができる。特許請求の範囲では、「含む（ｃｏｍｐｒｉｓｅ）」という用語の形式は、他のデバイスまたはステップを除外するものではなく、不定冠詞「１つの（ａ）」、または「１つの（ａｎ）」は、単数を意味することを意図するものではなく、「第１」または「第２」という用語は、特定の順序を示すためではなく名前を識別するための役割を果たす。特許請求の範囲の引用符号は、特許請求の範囲に限定するものとして解釈することはできない。また、特許請求の範囲の複数の部分の機能は、単一のハードウェアまたはソフトウェア・モジュールで実装することができる。特定の技術的特徴が異なる従属請求項に存在するという単なる事実が、望ましい効果を達成するために、これらの技術的特徴を組み合わせることができる可能性を除外することを意図するものではない。
【図１】
0005632545.tif 000002